(57)【特許請求の範囲】
【請求項１】
雌雄端子金具と、前記雌雄端子金具をそれぞれ挿入可能なキャビティを備え前記各端子金具の軸方向と交差する方向に前記キャビティと連通して開口したリテーナ挿入孔がそれぞれ設けられた雌雄ハウジングと、前記雌雄ハウジングにおけるいずれのリテーナ挿入孔にも装着可能なリテーナとを備えたコネクタであって、
前記雌雄端子金具には、前記雌雄ハウジングに対する挿入向きを規制する凹部あるいは凸部によって形成される識別部が同端子金具の幅方向に関する線対称位置にそれぞれ設けられ、
前記キャビティには、前記雌雄端子金具の前記識別部に対応した位置において前記雌雄ハウジングに対し前記雌雄端子金具が正しい対応関係にある場合のみ前記識別部との嵌め合いをそれぞれ可能とする誤挿入防止部が設けられ、
前記リテーナは、前記雌雄ハウジングのうち一方側に装着した向きに対して前後に反転した向きで他方側に装着可能となっているとともに、このリテーナにおいて前記雌雄端子金具のいずれをも遊挿可能な貫通孔には、前記雌雄ハウジングの前記誤挿入防止部に対して選択的に連通可能となる許容部が形成されていることを特徴とするコネクタ。
【請求項２】
前記リテーナには、前記雌雄ハウジングに対する装着向きを規制する凹部あるいは凸部によって形成される誤組付け防止部が設けられ、
前記リテーナ挿入孔には、前記リテーナが前記雌雄ハウジングに対して正しい向きで挿入された場合にのみ前記誤組付け防止部と適合する受け部が設けられ、かつ前記受け部は前記雌雄ハウジングで点対称の位置に配されていることを特徴とする請求項１記載のコネクタ。
【請求項３】
前記リテーナには、前記リテーナ挿入孔に設けられた係止受け部に係止して前記リテーナを抜け止めする係止部が前後方向の中央位置に形成されていることを特徴とする請求項１記載または請求項２記載のコネクタ。
【発明の詳細な説明】
【０００１】
【発明の属する技術分野】
本発明は、サイドリテーナを備えたコネクタに関する。
【０００２】
【従来の技術】
コネクタに備えられているリテーナにおいて、ハウジングの側面から端子金具の軸方向と直交する方向にリテーナを差し込んで端子金具と係止するサイドリテーナタイプが知られている。これはランスにより一次係止された端子金具と直接係合し合うために係止力が強く、通常多く使用されている。その一例として、特開平１１−３０７１６４号に開示されているようなものが挙げられる。
【０００３】
ところで雄端子金具及び雌端子金具にはスタビライザがそれぞれ突設され、一方雄ハウジング及び雌ハウジングの各キャビティには端子金具が正規の向きで挿入された時のスタビライザの形成位置に対応して逃げ部が設けてある。したがって正しい向きでは各端子金具の挿入を許容し、誤った向きではスタビライザがキャビティ壁等に干渉して入らないようになっている。
【０００４】
さらに、雄端子金具と雌端子金具のスタビライザはそれぞれ異なった位置に形成され、上記したようにキャビティの逃げ部も各スタビライザに対応した雄雌異なった位置に設けられているため、雄コネクタと雌コネクタ間における雌雄端子金具同士の誤挿入も併せて防止することが可能となっている。
【０００５】
【発明が解決しようとする課題】
したがって、これらの雄端子金具と雌端子金具を係止するリテーナもそれぞれのスタビライザに対応する位置に逃がしを形成しなければならないため、雄コネクタ用と雌コネクタ用にそれぞれ専用のリテーナを製作する必要があった。よって、部品点数が増えて製造コストが高くつくと共に、その取扱いや管理が煩わしいものとなっていた。
【０００６】
本発明は上記のような事情に基づいて完成されたものであって、雄コネクタ及び雌コネクタに組付けるリテーナを共通化して部品点数の削減を図ることを目的とする。
【０００７】
【課題を解決するための手段】
上記の目的を達成するための手段として、請求項１の発明は、雌雄端子金具と、前記雌雄端子金具をそれぞれ挿入可能なキャビティを備え前記各端子金具の軸方向と交差する方向に前記キャビティと連通して開口したリテーナ挿入孔がそれぞれ設けられた雌雄ハウジングと、前記雌雄ハウジングにおけるいずれのリテーナ挿入孔にも装着可能なリテーナとを備えたコネクタであって、前記雌雄端子金具には、前記雌雄ハウジングに対する挿入向きを規制する凹部あるいは凸部によって形成される識別部が同端子金具の幅方向に関する線対称位置にそれぞれ設けられ、前記キャビティには、前記雌雄端子金具の前記識別部に対応した位置において前記雌雄ハウジングに対し前記雌雄端子金具が正しい対応関係にある場合のみ前記識別部との嵌め合いをそれぞれ可能とする誤挿入防止部が設けられ、前記リテーナは、前記雌雄ハウジングのうち一方側に装着した向きに対して前後に反転した向きで他方側に装着可能となっているとともに、このリテーナにおいて前記雌雄端子金具のいずれをも遊挿可能な貫通孔には、前記雌雄ハウジングの前記誤挿入防止部に対して選択的に連通可能となる許容部が形成されている構成としたところに特徴を有する。
【０００８】
請求項２の発明は、請求項１に記載のものにおいて、前記リテーナには、前記雌雄ハウジングに対する装着向きを規制する凹部あるいは凸部によって形成される誤組付け防止部が設けられ、前記リテーナ挿入孔には、前記リテーナが前記雌雄ハウジングに対して正しい向きで挿入された場合にのみ前記誤組付け防止部と適合する受け部が設けられ、かつ前記受け部は前記雌雄ハウジングで点対称の位置に配されているところに特徴を有する。
【０００９】
請求項３の発明は、請求項１または請求項２に記載のものにおいて、前記リテーナには、前記リテーナ挿入孔に設けられた係止受け部に係止して前記リテーナを抜け止めする係止部が前後方向の中央位置に形成されているところに特徴を有する。
【００１０】
【発明の作用及び効果】
＜請求項１の発明＞
リテーナを雌雄ハウジングの双方に装着する場合、一方のハウジングに装着した向きに対して前後に反転した状態で他方のハウジングに装着できるようになっている。このように雌雄ハウジングにリテーナを装着すると、各キャビティは貫通孔と整合して各端子金具をキャビティへ挿入可能な状態となる。ここで、各キャビティに設けられている誤挿入防止部は、雌雄端子金具が雌雄ハウジングに対しそれぞれ正しい対応関係で挿入された場合にのみ識別部と嵌まり合い雌雄端子金具を各キャビティへそれぞれ挿入可能としているため、各雌雄端子金具の誤挿入を防いでいる。
【００１１】
さらに、雌雄ハウジングにおいて識別部及び誤挿入防止部が幅方向に関する線対称位置にそれぞれ設けられているため、雌雄ハウジングのうち一方のハウジングの誤挿入防止部と連通可能な許容部は、リテーナを前後に反転して他方のハウジングに装着すればこのハウジングの誤挿入防止部とも連通可能となる。よって、許容部は雌雄端子金具のいずれの識別部をも通過可能とし各雌雄端子金具を各キャビティ内に挿入できる。
【００１２】
したがって、リテーナを前後に反転させることで許容部を雌雄ハウジングのいずれの誤挿入防止部及び識別部にも対応させることができるためリテーナを雌雄ハウジングに対して共用化することが可能となり、部品点数を削減することができる。
【００１３】
＜請求項２の発明＞
リテーナを誤った向きで雌雄ハウジングにそれぞれ装着しようとした場合には、リテーナの誤組付け防止部が雌雄ハウジングのリテーナ挿入孔に設けられた受け部と不適合となり各ハウジングの側面に干渉するため、リテーナを各リテーナ挿入孔に挿入できない。よって、雌雄ハウジングに対するリテーナの誤挿入を防ぐことが可能となる。
【００１４】
＜請求項３の発明＞
係止部がリテーナの前後方向の中央位置に設けられることに伴い、係止受け部もまたリテーナ挿入孔の前後方向の中央位置に形成されることになる。したがって、係止受け部を形成するための金型構造を雌雄で共通化させることができる。
【００１５】
【発明の実施の形態】
以下、本発明の実施形態を図１ないし図９によって説明する。図１に示す雄コネクタ１と雌コネクタ２０は互いに嵌合可能となっている。また、これらに装着されるリテーナ４０は、雌雄ハウジング６，２５で共用化して使用できるようになっている。
【００１６】
まず、雄コネクタ１から説明すると、雄コネクタ１は雄端子金具２と雄ハウジング６及びリテーナ４０とから構成されている。雄端子金具２は前端から順にタブ部４、箱部３及びバレル部３Ａとから成っている。さらに箱部３の下面側でかつ幅方向端縁（図３における（Ａ）参照）にはスタビライザ５（識別部）が下方へ突出形成され、キャビティ１０内に挿入する向きを規制する役目を果たす。
【００１７】
雄ハウジング６は端子収容部９とこの前方に形成されたフード部７とから成っている。フード部７は端子収容部９より一回り大きな角筒状に形成され、かつ前方が開口し雌コネクタ２０を内部に嵌め入れ可能となっている。フード部７の上面にはロック孔８が貫通形成され、雌雄のハウジングが正規嵌合した時に雌ハウジング２５のロックアーム２６と係止可能となっている（図４参照）。また、このときには、フード部７内に突出した雄端子金具２のタブ部４と雌ハウジング２５内の雌端子金具２１とが正規に接続可能となっている。
【００１８】
図４に示すように、端子収容部９内に設けられたキャビティ１０の底面には弾性的に上下に撓み可能なランス１２が設けられ、雄端子金具２の箱部３に開口したランス係止孔３Ｂと係止可能となっている。また、図１及び図２に示すようにキャビティ１０の底面で一方側のコーナー部には誤挿入防止部１１が長さ方向に渡って凹み形成されている。これは前記した雄端子金具２のスタビライザ５の形成位置に対応する位置に設けられている。したがって、雄端子金具２が正しい向きでキャビティ１０に挿入される場合にはスタビライザ５は誤挿入防止部１１を通過しつつ内部まで装着可能となるが、雄端子金具２を誤った向きで挿入しようとする場合（例えば、上下反転して挿入するような場合）にはスタビライザ５と誤挿入防止部１１とが不適合となるため雄端子金具２を挿入不能となっている。
【００１９】
端子収容部９の下面側には、図１に示すようにリテーナ挿入孔１５がキャビティ１０を前後に分断するように貫通形成され、リテーナ４０を下面側から装着可能としている。リテーナ挿入孔１５の幅方向の対向する内側面には一対の係止突部１６（係止受け部）が幅方向中央位置に突設され、リテーナ４０を仮係止位置及び本係止位置に係止可能としている（図８及び図９参照）。さらにリテーナ挿入孔１５後側の内面における一方側のコーナー部分には、逃げ溝１７（受け部）が高さ方向に沿って形成されリテーナ４０に設けられたリブ４１（誤組付け防止部）を挿通可能としている。
【００２０】
次に、このリテーナ４０について説明すると、図５ないし図７に示すように前記したリブ４１はリテーナ４０の前後方向の一方側の側面端部に高さ方向に沿って突設されている。雄ハウジング６のリテーナ挿入孔１５にリテーナ４０を装着する際に、リブ４１と逃げ溝１７とが適合可能な向きでリテーナ４０を挿入することにより、リテーナ４０の挿入向きも定めることが可能となっている。
【００２１】
また、リテーナ４０には雄ハウジング６の各キャビティと整合可能な貫通孔４４が形成されている。上述したようにリテーナ４０は雌ハウジング２５にも装着可能なため、この貫通孔４４は雌ハウジング２５のキャビティ２９とも整合可能となっている。また、各貫通孔４４の下縁で幅方向における一方側のコーナー部には、許容部４５が貫通孔４４の孔縁に沿って凹み形成されている。図２（Ａ）のように、リテーナ４０が正しい挿入向きで雄ハウジング６の次述する仮係止位置にそれぞれ組み付けられたとき、許容部４５がキャビティ１０側の誤挿入防止部１１と整合するように形成されている。これによって、雄端子金具２のスタビライザ５はリテーナ４０部分を通過可能となっている。
【００２２】
また、リテーナ４０の両側面の上端寄りでかつ幅方向中央位置には仮係止孔４２（係止部）と本係止孔４３（係止部）とが上下に並んでそれぞれ設けられている。図８及び図９のようにリテーナ４０がリテーナ挿入孔１５に挿入されると、まず上方の仮係止孔４２に係止突部１６が嵌り込み、仮係止位置に保持される。さらにリテーナ４０が押し込まれると仮係止孔４２と係止突部１６の係止が外れ、下方の本係止孔４３に係止突部１６が嵌り込み本係止位置に保持されるようになっている。ここで、前記した仮係止位置においては、リテーナ４０に形成された貫通孔４４と対応する各キャビティ１０とが整合して雄端子金具２を挿抜可能としている。また、本係止位置においては、貫通孔４４と各キャビティ１０とが不整合となることにより、貫通孔４４の開口縁が雄端子金具２の箱部３の後端と引っ掛かり、雄端子金具２の抜け止めがなされている。
【００２３】
次に、雌コネクタ２０について説明する。図１のように、この雌コネクタ２０は雌端子金具２１と雌ハウジング２５及びリテーナ４０とから構成されている。雌端子金具２１は接続部２２とバレル部２２Ａとから形成されている。また、図３に示すように接続部２２の下面側で雄端子金具２とは幅方向における線対称位置となる端縁には、前記した雄端子金具２のスタビライザ５と同形状のスタビライザ２４（識別部）が下方へ向けて突出されている。
【００２４】
雌ハウジング２５はフード部７内に嵌まり込むことができるように形成されている。上面にはロックアーム２６が弾性的に撓み可能に形成され、ロックアーム２６の上面に形成された突部２７がフード部７のロック孔８とロック可能となっている。
【００２５】
雌ハウジング２５の各キャビティ２９には、雄ハウジング６と同様なランス３１が設けられ、雌端子金具２１の接続部２２に開口したランス係止孔２２Ｂに係止可能となっている。このキャビティ２９に設けられた誤挿入防止部３０は、雌雄端子金具２，２１のスタビライザ５，２４の位置が幅方向における線対称位置に形成されていることに対応して、雄ハウジング６のキャビティ１０とは反対側のコーナー部（図２の（Ｂ）参照）に形成されている。これらのスタビライザ５，２４が雄側と雌側とでは幅方向対称位置に設けられ、かつ誤挿入防止部１１，３０もそれぞれに対応して形成されていることにより、雄端子金具２と雌端子金具２１同士が誤って相手側のキャビティに挿入されてしまうことも回避される。
【００２６】
また、雌ハウジング２５の下面側には、図１に示すようにリテーナ４０を装着可能なリテーナ挿入孔１５が逃げ溝１７の形成位置を除いて雄ハウジング６と同一形状で設けられている。雌ハウジング２５の場合、逃げ溝１７は前側の内面における片方のコーナー部分、つまり雄ハウジング６の逃げ溝１７に対して点対称の位置に形成されている。したがって、リテーナ４０をこのリテーナ挿入孔１５に挿入する際には、リブ４１を逃げ溝１７に適合させて装着するため、雄ハウジング６に装着した向きに対して前後に反転した向きで装着できるようになっている。
【００２７】
こうしてリテーナ４０が雌ハウジング２５に装着されると、誤挿入防止部３０が雄ハウジング６の誤挿入防止部１１に対して幅方向線対称位置に形成されているため、リテーナ４０を前後に反転して装着すれば、許容部４５は雌ハウジング２６の誤挿入防止部３０とも連通可能となる。よって、雄ハウジング６の場合と同様に、リテーナ４０がリテーナ挿入孔１５に挿入され仮係止位置に保持されると、誤挿入防止部３０と許容部４５とが連通しているため雌端子金具２１のスタビライザ２４がリテーナ４０部分を通過可能となり、雌端子金具２１がキャビティ２９内に挿入される。そしてリテーナ４０が本係止位置に保持されると、雌端子金具２１の接続部２２の後端にリテーナ４０が係止することで雌端子金具２１が抜け止めされるようになっている。
【００２８】
よって、上記した本実施形態によれば、雌雄ハウジング６，２５の各リテーナ挿入孔１５の逃げ溝１７にリブ４１を嵌め合わせつつリテーナ４０を挿入すると、仮係止孔４２と係止突部１６とが係合してリテーナ４０は仮係止位置に保持される。この仮係止位置では、各キャビティ１０，２９と貫通孔４４とが整合し、かつ誤挿入防止部１１，３０と許容部４５とが整合する。そのため、スタビライザ５，２４が許容部４５をそれぞれ通過可能となり、リテーナ４０に干渉することなく雌雄端子金具２，２１を各キャビティ１０，２９に挿入することができる。挿入された雌雄端子金具２，２１はランス１２，３１により１次係止され、この後、リテーナ４０を仮係止位置からさらに押し入れると本係止孔４３と係止突部１６とが嵌まりあって本係止位置に保持される。すると、貫通孔４４がキャビティ１０，２９と不整合となるため、貫通孔４４の開口縁に雌雄端子金具２，２１が係止されて抜け止めされる。
【００２９】
ところで、リテーナ挿入孔１５の逃げ溝１７は、雌雄のハウジング６，２５において互いに点対称の位置に形成されている。リテーナ４０を雌雄ハウジング６，２５にそれぞれ装着する際には、リブ４１と逃げ溝１７とが嵌まり合うようにリテーナ４０を挿入するため、リテーナ４０は雄ハウジング６に装着した向きに対して反転した向きで雌ハウジング２５に挿入される。よってリテーナ４０に設けられた許容部４５は雌雄ハウジング６，２５で幅方向に線対称位置に形成された誤挿入防止部１１，３０の双方と整合し、スタビライザ５，２４が許容部４５を通過可能となり、雌雄ハウジング６，２５に雌雄端子金具２，２１をそれぞれ装着することができる。また、リテーナ挿入孔１５の係止突部１６が前後方向の中央位置に配されているため、雌雄ハウジング６，２５においてリテーナ挿入孔１５の係止突部１６部分を成形する金型構造も共通化することができるという効果も得られる。
【００３０】
よって、リテーナ４０を反転して装着可能としたことによりリテーナ４０を雄ハウジング６及び雌ハウジング２５に共用して使用することができ、部品点数の削減が可能となる。
【００３１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３２】
（１）上記した実施形態では、雌雄のスタビライザ５，２４を同一形状としたが、異なる形状にしてもよく、その場合、各スタビライザ５，２４と適合したいずれの誤挿入防止部１１，３０にも連通可能な形状の許容部４５を設ければ良い。
【００３３】
（２）上記した実施形態では、雌雄端子金具２，２１にスタビライザ５，２４を突設し、キャビティ１０，２９に誤挿入防止部１１，３０を凹設して各端子金具の挿入向きを規制したが、逆に雌雄端子金具２，２１に凹みを設け、キャビティ１０，２９に凸部を設けても良い。
【００３４】
（３）上記した実施形態では、リテーナ４０にリブ４１を突設し、リテーナ挿入孔１５に逃げ溝１７を凹設したが、逆にリテーナ４０に凹みを設け、リテーナ挿入孔１５に凸部を設けても良い。
【図面の簡単な説明】
【図１】本発明の実施形態における雄コネクタ及び雌コネクタの分解斜視図
【図２】（Ａ）は雄ハウジングとリテーナを示す背面図
（Ｂ）は雌ハウジングとリテーナを示す背面図
【図３】（Ａ）は雄端子金具のスタビライザの位置関係を示す概略図
（Ｂ）は雌端子金具のスタビライザの位置関係を示す概略図
【図４】雌雄コネクタが嵌合した状態の縦断面図
【図５】リテーナの正面図
【図６】その背面図
【図７】その上面図
【図８】雄ハウジングにリテーナが仮係止位置に装着された状態を示す横断面図
【図９】雄ハウジングにリテーナが本係止位置に装着された状態を示す横断面図
【符号の説明】
２…雄端子金具
６…雄ハウジング
５，２４…スタビライザ（識別部）
１０，２９…キャビティ
１１，３０…誤挿入防止部
１５…リテーナ挿入孔
１６…係止突部（係止受け部）
１７…逃げ溝（受け部）
２１…雌端子金具
２５…雌ハウジング
４０…リテーナ
４１…リブ（誤組付け防止部）
４２…仮係止孔（係止部）
４３…本係止孔（係止部）
４４…貫通孔
４５…許容部
【図１】
0004240855.tif 000002
【図２】
0004240855.tif 000003
【図３】
0004240855.tif 000004
【図４】
0004240855.tif 000005
【図５】
0004240855.tif 000006
【図６】
0004240855.tif 000007
【図７】
0004240855.tif 000008
【図８】
0004240855.tif 000009
【図９】
0004240855.tif 000010